(57)【要約】【課題】  エンボスマーク部も良好に初期化を行う相変化光ディスク初期化装置の提供。【解決手段】  ランド・グルーブ部４及びエンボスマーク部５を有する相変化光ディスクの初期化を行う相変化光ディスク初期化装置であって、相変化光ディスク７を回転駆動するスピンドルモータ１０と、レーザスポット６を照射する光学ヘッド１１と、該光学ヘッド１１をディスク半径方向に直線移動するキャリッジ１３と、該キャリッジ１３の移動距離を検出するためのリニアスケール１２とを備え、相変化ディスク７上のエンボスマーク部５にレーザスポットが位置することをリニアスケール１２により検出し、エンボスマーク部５の初期化レーザ出力または初期化線速度または半径方向送りまたはデフォーカス量の初期化条件のうち、少なくとも一つ以上がランド・グルーブの初期化条件と異なる条件に設定可能な機能を有するもの。【選択図】  図５
2007035148.tif 000002
【特許請求の範囲】
【請求項１】
ランド・グルーブ部及びエンボスマーク部を有する相変化光ディスクの初期化を行う相変化光ディスク初期化装置であって、
相変化光ディスクを回転駆動するスピンドルモータと、レーザスポットを相変化光ディスクに照射する光学ヘッドと、該光学ヘッドを支持して相変化光ディスク半径方向に直線移動するためのキャリッジと、該キャリッジを駆動するキャリッジモータと、前記キャリッジの移動距離を検出するためのリニアスケールとを備え、
相変化ディスク上のエンボスマーク部にレーザスポットが位置することを前述リニアスケールにより検出し、エンボスマーク部の初期化レーザ出力または初期化線速度または半径方向送りまたはデフォーカス量の初期化条件のうち、少なくとも一つ以上がランド・グルーブの初期化条件と異なる条件に設定可能な機能を有することを特徴とする相変化ディスク初期化装置。
【請求項２】
前記相変化光ディスクのエンボスマーク部の開始半径位置がＲｅｓ［ｍｍ］、エンボスマーク部の終了半径位置がＲｅｅ［ｍｍ］であり、長手方向幅が１９２[μｍ]のレーザスポットを用いた時のランド・グルーブ部の好適な初期化条件が、レーザ出力２０００［ｍＷ］、ディスク線速度１０「ｍ／ｓ］、デフォーカス量１［μｍ］、送り量１２［μｍ／ｒｏｔ］であり、エンボスマーク部の好適な初期化条件が、レーザ出力２４００［ｍＷ］、ディスク線速度５［ｍ／ｓ］、デフォーカス量−１［μｍ］、送り量６［μｍ／ｒｏｔ］とした場合、
前記リニアスケールがレーザスポットの位置としてディスク半径位置Ｒｅｓ［ｍｍ］からＲｅｅ［ｍｍ］間を検出したとき、レーザ出力を２４００［ｍＷ］、ディスク線速度を５［ｍ／ｓ］、デフォーカス量を−１［μｍ］、送り量を６［μｍ／ｒｏｔ］の初期化条件により初期化を行い、
前記リニアスケールがレーザスポットの位置としてディスク半径位置Ｒｅｅ［ｍｍ］を越える位置を検出したとき、レーザ出力２０００［ｍＷ］、ディスク線速度１０［ｍ／ｓ］、デフォーカス量１［μｍ］、送り量１２［μｍ／ｒｏｔ］の初期化条件により初期化を行うことを特徴とする請求項１記載の相変化光ディスク初期化装置。
【請求項３】
相変化光ディスクを回転駆動するスピンドルモータと、レーザスポットを相変化光ディスクに照射する光学ヘッドと、該光学ヘッドを支持して相変化光ディスク半径方向に直線移動するためのキャリッジと、該キャリッジを駆動するキャリッジモータと、前記キャリッジの移動距離を検出するためのリニアスケールとを備え、ランド・グルーブ部及びエンボスマーク部を有する相変化光ディスクの初期化を行う相変化光ディスク初期化装置の初期化方法であって、
相変化ディスク上のエンボスマーク部にレーザスポットが位置することを前述リニアスケールにより検出し、エンボスマーク部の初期化レーザ出力または初期化線速度または半径方向送りまたはデフォーカス量の初期化条件のうち、少なくとも一つ以上がランド・グルーブ部の初期化条件と異なる条件で初期化を行うことを特徴とする相変化ディスク初期化方法。
【請求項４】
前記相変化光ディスクのエンボスマーク部の開始半径位置がＲｅｓ［ｍｍ］、エンボスマーク部の終了半径位置がＲｅｅ［ｍｍ］であり、長手方向幅が１９２[μｍ]のレーザスポットを用いた時のランド・グルーブ部の好適な初期化条件が、レーザ出力２０００［ｍＷ］、ディスク線速度１０［ｍ／ｓ］、デフォーカス量１［μｍ］、送り量１２［μｍ／ｒｏｔ］であり、エンボスマーク部の好適な初期化条件が、レーザ出力２４００［ｍＷ］、ディスク線速度５［ｍ／ｓ］、デフォーカス量−１［μｍ］、送り量６［μｍ／ｒｏｔ］とした場合、
前記リニアスケールがレーザスポットの位置としてディスク半径位置Ｒｅｓ［ｍｍ］からＲｅｅ［ｍｍ］間を検出したとき、レーザ出力を２４００［ｍＷ］、ディスク線速度を５［ｍ／ｓ］、デフォーカス量を−１［μｍ］、送り量を６［μｍ／ｒｏｔ］の初期化条件により初期化を行い、
前記リニアスケールがレーザスポットの位置としてディスク半径位置Ｒｅｅ［ｍｍ］を越える位置を検出したとき、レーザ出力２０００［ｍＷ］、ディスク線速度１０［ｍ／ｓ］、デフォーカス量１［μｍ］、送り量１２［μｍ／ｒｏｔ］の初期化条件により初期化を行うことを特徴とする請求項３記載の相変化光ディスクの初期化方法。
【発明の詳細な説明】
【技術分野】
【０００１】
本発明は、相変化光ディスクの初期化を行う相変化光ディスク初期化装置及び同初期化方法に係り、特に相変化光ディスクのエンボスマーク部も良好に初期化を行うことができる相変化光ディスク初期化装置及び同初期化方法に関する。
【背景技術】
【０００２】
近年、書換え可能な大容量の光ディスクとして、相変化光ディスクが主流となっている。この相変化光ディスクの製造プロセスにおいては、記録膜生成直後の非結晶状態な記録膜を結晶状態へ変える初期化処理が必要である。
【０００３】
この初期化処理は、レーザを熱源としてディスクの膜面に長円状の初期化レーザスポットを照射し、このレーザスポットを良好な結晶状態が得られる所定のレーザスポット走査速度／レーザパワー／レーザスポットのデフォーカス量で隙間無く螺旋状に光ディスクを走査させることにより光ディスク全面を初期化させるものである。
【０００４】
近年の相変化光ディスクは、図３に示す如く、データを記録再生するためのランド・グルーブ部４と、該ランド・グルーブ部４の内周側に配置され、ディスクの物理的特長等の情報をエンボスマークにより記録するのエンボスマーク部５とが設けられている。前記ランド・グルーブ部４は、図１にその拡大図を示す如く、案内溝となるグルーブ１と、該グルーブ１とグルーブ１間のランド２とを形成し、ランド・グルーブ記録方式においては前記グルーブ１及びランド２に情報を記録することにより記録密度を増加することが行われている。
【０００５】
また前記エンボスマーク部５は、図２に示す如く、平面上の記録面上に物理的にエンボスマークを形成することによってディスク情報等を固定的に形成するものである。
【０００６】
この相変化光ディスクは、スパッタリング技術等により製造されるものであるが、この製造直後の記録膜は非結晶状態の反射率が低い状態であり、光ディスク装置等の情報記録の際に光スポットのオートフォーカスやトラッキングが不安定になりやすいため、前述の初期化を行う必要があり、この初期化を行う装置は相変化光ディスク初期化装置と呼ばれる。
【０００７】
従来技術による相変化光ディスク初期化装置による初期化は、図４に示す如く、相変化光ディスク７を回転駆動した状態で長手方向幅４８〜２５０[μｍ]、短手方向幅１[μｍ]の線状に形成したレーザスポット６を長手方向がディスクトラック方向と垂直になるように照射し、レーザスポット６をディスク回転と同期してディスク半径方向に所定速度により移動させることによって、レーザスポットの短手方向を走査方向として螺旋状に走査することにより行われ、図示の例では、レーザスポット６によりディスク内周側を初期化部８とし、外周側が未初期化部９である例を示している。
【０００８】
この初期化技術は、相変化光ディスクの回転速度（線速度）／レーザスポットのデフォーカス量（記録面のスポット焦点位置をずらして長楕円形スポット形状を作成する技術）／レーザパワー／レーザスポットの半径方向への１回転当たりの送り量を変化させることによって、初期化条件を変化させることができる。
【０００９】
尚、前記相変化光ディスク初期化装置に関する技術が記載された文献としては、例えば下記特許文献が挙げられる。
【特許文献１】特開２００５−７１５１４
【発明の開示】
【発明が解決しようとする課題】
【００１０】
前述の従来技術による相変化光ディスク初期化装置は、初期化工程において前記ランド・グルーブ部４が好適な初期化状態になる一律の初期化条件により相変化光ディスク全面の初期化を行っていたため、初期化を行ったエンボスマーク部５の再生特性が良好でないと言う不具合があった。
【００１１】
本発明の目的は、前述の従来技術による不具合を除去することであり、ランド・グルーブ部の記録再生特性と、エンボスマーク部の再生特性の両方の特性を良好に初期化することができる相変化光ディスク初期化装置及び同初期化方法を提供することである。
【課題を解決するための手段】
【００１２】
前記目的を達成するため本発明は、ランド・グルーブ部及びエンボスマーク部を有する相変化光ディスクの初期化を行う相変化光ディスク初期化装置において、相変化光ディスクを回転駆動するスピンドルモータと、レーザスポットを相変化光ディスクに照射する光学ヘッドと、該光学ヘッドを支持して相変化光ディスク半径方向に直線移動するためのキャリッジと、該キャリッジを駆動するキャリッジモータと、前記キャリッジの移動距離を検出するためのリニアスケールとを備え、相変化光ディスク上のレーザスポットの位置をリニアスケールにより検出し、  相変化ディスク上のエンボスマーク部にレーザスポットが位置することを前述リニアスケールにより検出し、エンボスマーク部の初期化レーザ出力または初期化線速度または半径方向送りまたはデフォーカス量の初期化条件のうち、少なくとも一つ以上がランド・グルーブ部の初期化条件と異なる条件で初期化を行うことを第１の特徴とする。例えば本発明は、前記エンボスマーク部に対するレーザスポットのレーザ出力とディスク線速度とデフォーカス量とディスク半径方向送り量からなる初期化条件により決まるレーザパワーを、ランド・グルーブ部に比して５％〜３０％増加させて初期化を行うことを第１の特徴とする。
また本発明は、前記特徴の相変化光ディスク初期化装置において、前記相変化光ディスクのエンボスマーク部の開始半径位置がＲｅｓ［ｍｍ］、エンボスマーク部の終了半径位置がＲｅｅ［ｍｍ］であり、長手方向幅が１９２[μｍ]のレーザスポットを用いた時のランド・グルーブ部の好適な初期化条件が、レーザ出力２０００［ｍＷ］、ディスク線速度１０［ｍ／ｓ］、デフォーカス量１［μｍ］、送り量１２［μｍ／ｒｏｔ］であり、エンボスマーク部の好適な初期化条件が、レーザ出力２４００［ｍＷ］、ディスク線速度５［ｍ／ｓ］、デフォーカス量−１［μｍ］、送り量６［μｍ／ｒｏｔ］とした場合、前記リニアスケールがレーザスポットの位置としてディスク半径位置Ｒｅｓ［ｍｍ］からＲｅｅ［ｍｍ］間を検出したとき、レーザ出力を２４００［ｍＷ］、ディスク線速度を５［ｍ／ｓ］、デフォーカス量を−１［μｍ］、送り量を６［μｍ／ｒｏｔ］の初期化条件により初期化を行い、前記リニアスケールがレーザスポットの位置としてディスク半径位置Ｒｅｅ［ｍｍ］を越える位置を検出したとき、レーザ出力２０００［ｍＷ］、ディスク線速度１０［ｍ／ｓ］、デフォーカス量１［μｍ］、送り量１２［μｍ／ｒｏｔ］の初期化条件により初期化を行うことを第２の特徴とする。
【００１３】
また本発明は、相変化光ディスクを回転駆動するスピンドルモータと、レーザスポットを相変化光ディスクに照射する光学ヘッドと、該光学ヘッドを支持して相変化光ディスク半径方向に直線移動するためのキャリッジと、該キャリッジを駆動するキャリッジモータと、前記キャリッジの移動距離を検出するためのリニアスケールとを備え、ランド・グルーブ部及びエンボスマーク部を有する相変化光ディスクの初期化を行う相変化光ディスク初期化装置の初期化方法において、相変化ディスク上のエンボスマーク部にレーザスポットが位置することを前述リニアスケールにより検出し、エンボスマーク部の初期化レーザ出力または初期化線速度または半径方向送りまたはデフォーカス量の初期化条件のうち、少なくとも一つ以上がランド・グルーブ部の初期化条件と異なる条件で初期化を行うことを第３の特徴とする。例えば本発明は、相変化光ディスク上のレーザスポットの位置をリニアスケールにより検出し、該検出した位置がエンボスマーク部の開始位置のとき、レーザスポットのレーザ出力とディスク線速度とデフォーカス量とディスク半径方向送り量からなる初期化条件により決まるレーザパワーを、ランド・グルーブ部に比して５％〜３０％増加させて初期化を行う工程と、該検出した位置がエンボスマーク部の終了位置のとき、レーザスポットのレーザ出力とディスク線速度とデフォーカス量とディスク半径方向送り量からなる初期化条件により決まるレーザパワーを、ランド・グルーブ部の初期化条件により初期化を行う工程とを実行することを第３の特徴とする。
更に本発明は、前記特徴の相変化光ディスクの初期化方法において、前記相変化光ディスクのエンボスマーク部の開始半径位置がＲｅｓ［ｍｍ］、エンボスマーク部の終了半径位置がＲｅｅ［ｍｍ］であり、長手方向幅が１９２[μｍ]のレーザスポットを用いた時のランド・グルーブ部の好適な初期化条件が、レーザ出力２０００［ｍＷ］、ディスク線速度１０［ｍ／ｓ］、デフォーカス量１［μｍ］、送り量１２［μｍ／ｒｏｔ］であり、エンボスマーク部の好適な初期化条件が、レーザ出力２４００［ｍＷ］、ディスク線速度５［ｍ／ｓ］、デフォーカス量−１［μｍ］、送り量６［μｍ／ｒｏｔ］とした場合、前記リニアスケールがレーザスポットの位置としてディスク半径位置Ｒｅｓ［ｍｍ］からＲｅｅ［ｍｍ］間を検出したとき、レーザ出力を２４００［ｍＷ］、ディスク線速度を５［ｍ／ｓ］、デフォーカス量を−１［μｍ］、送り量を６［μｍ／ｒｏｔ］の初期化条件により初期化を行い、前記リニアスケールがレーザスポットの位置としてディスク半径位置Ｒｅｅ［ｍｍ］以上を検出したとき、レーザ出力２０００［ｍＷ］、ディスク線速度１０［ｍ／ｓ］、デフォーカス量１［μｍ］、送り量１２［μｍ／ｒｏｔ］の初期化条件により初期化を行うことを第４の特徴とする。
【発明の効果】
【００１４】
本発明による相変化光ディスク初期化装置及び同初期化方法は、相変化光ディスク上のレーザスポットの位置をリニアスケールにより検出し、エンボスマーク部に対するレーザスポットのレーザ出力とディスク線速度とデフォーカス量とディスク半径方向送り量からなる初期化条件により決まるレーザパワーを、ランド・グルーブ部に比して５％〜３０％増加させて初期化を行うことによって、エンボスマーク部の再生特性とランド・グルーブ部の記録再生特性の両方を良好に初期化することができる。
【発明を実施するための最良の形態】
【００１５】
以下、本発明の一実施形態による相変化光ディスク初期化装置及び同初期化方法を図面を参照して詳細に説明する。図５は本実施形態による相変化光ディスク初期化装置の構成を示す図、図６は相変化光ディスク初期化装置の初期化レーザスポットのディスク半径による初期化条件遂移を説明するための図である。
【００１６】
本実施形態による相変化光ディスク初期化装置は、図５に示す如く、相変化光ディスク７を回転駆動するスピンドルモータ１０と、レーザスポット６を対物レンズを介して前記相変化光ディスク７に照射する光学ヘッド１１と、該光学ヘッド１１を支持して相変化光ディスク７の半径方向に直線移動するためのキャリッジ１３と、該キャリッジ１３を駆動するキャリッジモータ１４と、前記キャリッジ１３の移動距離を検出するためのリニアスケール１２と、前記リニアスケール１２からの検出信号を基にキャリッジモータ１４によるレーザスポット６の移動制御を行うと共に前記光学ヘッド１１の出力であるレーザパワーを制御するＭＰＵ１５とから構成され、該ＭＰＵ１５が相変化光ディスク７の回転数を制御しながらレーザスポット６を相変化光ディスク７半径方向への移動制御を行うことによって、相変化光ディスク７の全面を初期化を行う様に構成されている。
【００１７】
本実施形態による相変化光ディスク初期化装置及び同初期化方法は、レーザスポット６が相変化光ディスク７のエンボスマーク部５の所定位置に達したことをリニアスケール１２により検出したとき、ＭＰＵ１５が予め設定した所定のレーザ出力と所定のディスク線速度（回転数）と所定の初期化スポット径方向送り速度と所定のデフォーカス量等の複数の初期化条件の何れか１つ又は組合せを、エンボスマーク部５の初期化条件に設定して初期化を行う。
【００１８】
このエンボスマーク部５の初期化条件は、例えば、相変化光ディスク７のエンボスマーク部５の開始半径位置がＲｅｓ［ｍｍ］、エンボスマーク部５の終了半径位置がＲｅｅ［ｍｍ］であり、長手方向幅が１９２[μｍ]のレーザスポットを用いた時のランド・グルーブ部４の好適な初期化条件が、レーザ出力２０００［ｍＷ］、ディスク線速度１０［ｍ／ｓ］、デフォーカス量１［μｍ］、送り量１２［μｍ／ｒｏｔ］であり、エンボスマーク部５の好適な初期化条件が、レーザ出力２４００［ｍＷ］、ディスク線速度５［ｍ／ｓ］、デフォーカス量−１［μｍ］、送り量６［μｍ／ｒｏｔ］のとき、図６に示す如く、ディスク半径位置Ｒｅｓ［ｍｍ］からＲｅｅ［ｍｍ］の間において、レーザ出力を２４００［ｍＷ］に上げ、ディスク線速度を５［ｍ／ｓ］に下げ、デフォーカス量を−１［μｍ］に下げ、送り量を６［μｍ／ｒｏｔ］に下げる様に初期化条件を変え、その他の面の初期化条件をレーザ出力２０００［ｍＷ］、ディスク線速度１０［ｍ／ｓ］、デフォーカス量１［μｍ］、送り量１２［μｍ／ｒｏｔ］の初期化条件により初期化を行う様に動作する。
【００１９】
また本実施形態により相変化型光ディスク初期化装置は、レーザスポット６が相変化光ディスク７のエンボスマーク部５を越えた位置に移動したことを検出したとき、レーザ出力２０００［ｍＷ］、ディスク線速度１０［ｍ／ｓ］、デフォーカス量１［μｍ］、送り量１２［μｍ／ｒｏｔ］の初期化条件によりランド・グルーブ部４の初期化を行う様に動作する。
【００２０】
尚、本実施形態においては、初期化条件としてレーザスポットのレーザ出力／ディスク線速度／デフォーカス量／ディスク半径方向送り量の全てを変化させる例を説明したが、本発明はこれに限られるものではなく、例えば任意の条件を固定として他の条件を変えることより、ランド・グルーブ部とエンボスマーク部との初期化条件を変える様に構成しても良い。
【００２１】
この様に本実施形態による相変化光ディスク初期化装置及び同初期化方法は、ランド・グルーブ部の初期化条件、具体的には単位面積当たりのレーザスポットによる照射エネルギー量を、エンボスマーク部に比して５％〜３０％、好適には２０％増加させることによって、エンボスマーク部の初期化を再生特性が良好になるように初期化することができる。
本実施例のエンボス部はディスク回転中心をセンターとしたリング状のものへの例であったが、ディスクの任意角の微小角に位置するエンボス部であってもよい。この場合スピンドルモータにロータリーエンコーダを取付け、そこから検出する回転角によりエンボス部を検出し、初期化条件を変えてもよい。また、スポットの半径位置及び回転角の両方を同時に検出し、初期化条件を変化させてもよい。
【図面の簡単な説明】
【００２２】
【図１】相変化光ディスクのランド・グルーブ部の形状を示す図。
【図２】相変化光ディスクのエンボスマーク部の形状を示す図。
【図３】相変化光ディスクの記録膜を説明するための図。
【図４】相変化光ディスクの初期化状態を説明するための図。
【図５】本発明の一実施形態による相変化光ディスク初期化装置の構成を示す図。
【図６】本実施形態によるレーザスポットのディスク半径による制御を説明するための図。
【符号の説明】
【００２３】
１：グルーブ１、２：ランド、３：エンボスマーク、４：ランド・グルーブ部、５：エンボスマーク部、６：レーザスポット、７：相変化光ディスク、８：初期化部、９：未初期化部、１０：スピンドルモータ、１１：光学ヘッド、１２：リニアスケール、１３：キャリッジ、１４：キャリッジモータ。
【図１】
2007035148.tif 000003
【図２】
2007035148.tif 000004
【図３】
2007035148.tif 000005
【図４】
2007035148.tif 000006
【図５】
2007035148.tif 000007
【図６】
2007035148.tif 000008